(57)【要約】  本発明は、運搬手段、及びガラス板の位置を保持すること、特に水平位置で保持することを意図している保持手段を具備している、ガラス板を運搬及び保持するための装置（１）であって、保持手段が、以下を具備していることを特徴とする、装置（１）に関する：  −一方で、側方運搬システムと称される、間隔が空いておりかつ平行な少なくとも２つの運搬システム（１０Ａ、１０Ｂ）、及び側方運搬システムに対して横方向に延在しており、かつそれにより支えられている、間隔の空いた複数のワイヤー（１１Ａ；１１Ｂ）、ここで、前記ガラス板は、その側面の少なくとも全部又は一部を介して、ワイヤーに対して押圧されることを意図している、並びに  −他方で、加圧された空気噴射物及び／又は水噴射物を供給する手段（５）、ここで、加圧された噴射物は、ガラス板の上面、すなわち前記ワイヤーにより支持されている面と反対側の面に向かって噴射されることを意図しており、それによって、ワイヤーに対してガラス板を押圧された状態にするようにする。
2019519353.tif 000002
【特許請求の範囲】
【請求項１】
運搬手段、及びガラス板の位置を保持すること、特に水平位置で保持することを意図している保持手段を具備している、ガラス板（２）を運搬及び保持するための装置（１）であって、前記保持手段が、以下を具備していることを特徴とする、装置（１）：
−一方で、側方運搬システムと称される、間隔が空いておりかつ平行な少なくとも２つの運搬システム（１０Ａ、１０Ｂ）、及び前記側方運搬システムに対して横方向に延在しており、かつそれにより支えられている、間隔の空いた複数のワイヤー（１１Ａ；１１Ｂ）、ここで、前記ガラス板は、その側面の少なくとも全部又は一部を介して、前記ワイヤーに対して局所的に押圧されることを意図している、並びに
−他方で、加圧された空気噴射物及び／又は水噴射物を供給する手段（５）、ここで、加圧された前記噴射物は、前記ガラス板の上面、すなわち前記ワイヤーにより支持されている面と反対側の面に向かって噴射されることを意図しており、それによって、前記ワイヤーに対して前記ガラス板が強固に押圧された状態にするようにする。
【請求項２】
前記側方運搬システム（１０Ａ、１０Ｂ）が、運搬方向における長手方向に延在しており、２つの前記側方運搬システムが、前記ガラス板の両側で、かつ前記ガラス板の２つの側面から幾らか離れて存在するように配置されていることを意図していることを特徴とする、請求項１に記載の装置。
【請求項３】
加圧された空気噴射物及び／又は水噴射物を供給する前記手段（５）が、前記ガラス板の前記上面（２１）で前記ガラス板を清掃することを意図している空気噴射物及び／又は水噴射物に対応しており、その一方で、他の噴射物が、反対側の下面（２０）に同時に噴射され、前記ガラス板の前記上面（２１）で噴射される前記噴射物が、前記下面（２０）に噴射される前記噴射物よりも高出力であり、特に前記上面向けの噴射物と前記下面向けの反対側の噴射物との間の正の圧力勾配が、１０％超、特に２０％程度であることを特徴とする、請求項１又は２に記載の装置。
【請求項４】
前記ワイヤー（１１Ａ）が、前記運搬方向に対して垂直な方向に延在しており、その一方で、前記側方運搬システムが、前記運搬方向に対して平行に存在していることを特徴とする、請求項１〜３のいずれか一項に記載の装置。
【請求項５】
前記ワイヤーが、複数のメッシュを含む網の態様で十字交差されているワイヤーのネットワークを形成していることを特徴とする、請求項１〜４のいずれか一項に記載の装置。
【請求項６】
前記ワイヤーが、平行でかつ間隔の空いたワイヤーの単一の支持体（１１）、又は交差したワイヤーの単一の網を形成しており、前記支持体又は網の面積が、前記ガラス板の面積よりも大きく、好ましくは、前記装置の運搬手段が、前記側方運搬システムの間の中央に配置されている１つ又は２つの運搬システム（４０、４１）を更に具備しており、前記ガラス板が、前記ガラス板の中央部により、これらの中央運搬機に面し、かつこの上に載置されることを意図していることを特徴とする、請求項１〜５のいずれか一項に記載の装置。
【請求項７】
前記ワイヤーが、間隔の空いたワイヤーの２つで一対の別個の支持体（１２、１３）、又は２つで一対の別個の網を形成しており、支持体又は網の各々が、その２つの対向する側面に沿って、一方では、２つの前記側方運搬システム（１０Ａ、１０Ｂ）の各々の１つによって、他方では、２つの前記側方システムの間の中央に配置されている前記運搬手段（４）によって支えられていることを特徴とする、請求項１〜５のいずれか一項に記載の装置。
【請求項８】
前記運搬手段（４）が、２つの平行な中央運搬システム（４０、４１）を具備しており、前記中央運搬システムの各々が、各々の側方システム（１０Ａ、１０Ｂ）に機械的に組み合わされており、それによって、前記側方運搬システムの運動が前記中央運搬機と同期するようにされていることを特徴とする、請求項７に記載の装置。
【請求項９】
前記側方運搬システムの長さに沿って離れて分布している、複数個の網（１１）又は複数対の網（１２、１３）を具備していることを特徴とする、請求項１〜８のいずれか一項に記載の装置。
【請求項１０】
２つの前記側方運搬機（１０Ａ、１０Ｂ）が、網（１４、１５）、好ましくは少なくとも傾きに関して調節可能な網で構成されていることを特徴とする、請求項１〜５のいずれか一項に記載の装置。
【請求項１１】
前記ワイヤーの間隔又は網メッシュの幅が、１０ｍｍ〜２００ｍｍに含まれ、好ましくは５０ｍｍ程度であることを特徴とする、請求項１〜１０のいずれか一項に記載の装置。
【請求項１２】
前記ワイヤー（１１Ａ；１１Ｂ）の直径が、０．５ｍｍ〜１５ｍｍに含まれ、特に２ｍｍ程度であることを特徴とする、請求項１〜１１のいずれか一項に記載の装置。
【請求項１３】
前記ワイヤーが、平滑な表面を有しており、好ましくは前記ワイヤーの材料が、ナイロンタイプのポリアミド等のプラスチック材料であることを特徴とする、請求項１〜１２のいずれか一項に記載の装置。
【請求項１４】
請求項１〜１３のいずれか一項に記載の少なくとも１つの保持装置（１）を具備している洗浄及び乾燥設備（３）であって、特にガラス板の清掃、特に乗物グレージング用の曲面ガラス板の清掃のための、洗浄及び乾燥設備（３）。
【請求項１５】
洗浄機器及び乾燥機器を具備している設備において、請求項１〜１４のいずれか一項に記載の装置を実施する方法であって、前記装置が、２つの中央運搬機を具備しており、次の工程を含むことを特徴とする、方法：
−前記装置が停止位置にある状態で、前記側方運搬システムの高さを調節すること；
−１又は複数の前記ガラス板を、自動的な手段により前記運搬及び保持装置上に持ってきて、存在する場合には、前記洗浄機器の上流で、前記中央運搬機上、及び前記ワイヤー上に置くようにすること；
−前記ガラス板を、１つ又は複数の前記網により前記ガラス板の側縁が支持されることとなる前記洗浄機器への入口まで運搬すること；
−このようにして支持されている前記ガラス板に、洗浄及び乾燥工程を施すこと；
−したがって、前記洗浄及び乾燥工程の間に、水及び次いで空気の加圧された噴射物を、前記ガラス板の２つの対向する下面及び上面に噴射すること、ここで、前記上面に向かう前記噴射物により印加される圧力が、下方の前記噴射物の圧力よりも大きく、それによって、前記ガラス板が１又は複数の前記網に対して強固に押圧された状態とすることを保証する。
【発明の詳細な説明】
【技術分野】
【０００１】
本発明は、ガラス板を運搬及び保持するための装置、特に水平位置においてガラス板を運搬及び保持する装置、かかる装置を具備しているガラス板のための洗浄設備、並びにこれを実施する方法に関する。
【背景技術】
【０００２】
より具体的には、本発明は、洗浄及び乾燥の間に、洗浄及び乾燥設備を通って運搬されることを意図しているガラス板を保持する用途に関して言及されているが、これに限定されない。本発明は、ガラス板の最終用途に組み込まれる前に保持して運搬すべきガラス板を必要とする全ての用途、特に（実質的に）水平位置で保持して運搬すべきガラス板を必要とする全ての用途に適用できよう。
【０００３】
より具体的には、本発明は、湾曲したガラス板、特に自動車用途のための湾曲したガラス板であって、１．２ｍｍ未満又は１．１ｍｍ未満、例えば０．７ｍｍ又は０．５５ｍｍ又は０．４ｍｍ又は０．３ｍｍの非常に薄い厚さの湾曲したガラス板に適用するが、これに限定されない。本発明は、平坦な又は非平坦な全てのガラス板、及び他の種類の乗物、又は他の用途にも適用することができる。
【０００４】
今日、自動車の重量を低減させることは、特に乗物の化石燃料の消費を低減させ、したがって、温室効果ガス（ＣＯ２）の放出を低減させるために、自動車の製造者にとって研究されている手段の１つである。
【０００５】
乗物の全ての構成要素のうち、グレージングは、重量の低減が追及されている部材の１つである。グレージングの重量を低減させる１つの工程は、ガラスの厚さを低減させることである。それゆえ、内部のガラス板が、１．２ｍｍ未満、例えば１．１ｍｍ未満の厚さ、例えば０．７ｍｍ又は０．５５ｍｍ又は０．４ｍｍ又は０．３ｍｍの厚さを有する、グレージング、特にフロントガラスが現在提案されている。
【０００６】
自動車グレージング等の積層グレージングの製造の間、透明なプラスチック材料のフィルムを挟み込むこととなる一対の湾曲したガラス板には、塵の存在を回避するために洗浄処理を施さなければならず、さもなければ、塵の存在は、積層体内に閉じ込められ、自動車の分野において課せられる品質を考慮すると許容できず、かつグレージングが廃棄される原因となりうる視認できる欠陥を生み出すリスクを帯びることとなる。
【０００７】
湾曲したガラス板の清掃は、通常、洗浄トンネル中で行われ、ガラス板は、２つの平行な間隔の空いたベルトを備えた運搬装置に沿って、前後に並んで通過し、このガラス板は、ガラス板が対称である場合には４点で、又はガラス板の外形が非対称である場合には３点で、ガラス板の縁を介してこのベルト上に置かれる。洗浄及び乾燥は、ガラス板の２つの対向する面の全表面にわたり、及びその周囲上で、加圧された水噴射物、次いで加圧された空気噴射物を噴射することにより行われ、ガラス板を縁で置くことで、ガラス板の全表面及び周囲を清掃することを可能とする。
【０００８】
しかしながら、水噴射物及び空気噴射物の圧力にさらされる１．４ｍｍ程度又はそれ以下の厚さを有するガラス板は、振動し、そして変形し、その振幅は、ガラスの厚さが低減するにつれて大幅に増加する。特に、ガラス板の厚さの３乗に比例して、ガラス板の曲げ強さが低減し、これと同様に振幅が増加する。このようにして、１．４ｍｍの厚さのガラス板への乾燥空気の噴射物の作用の下では、２０ｍｍ程度の振幅を有する振動が見られ、それぞれ１．１ｍｍ及び０．７ｍｍの厚さを有するガラスについては、それぞれ４０ｍｍ及び１６０ｍｍにまで達する。振動は、ガラスの吹き込みノズルへの衝突を引き起こし、運搬機のベルト上に載置されているガラスの端面への有意な衝撃を生み出し、破断開始因子の増加をもたらし、ガラス板の破損を引き起こす。
【０００９】
水圧及び空気圧の調節及びノズルの配列は、満足な安定性を得ること、又は１．２ｍｍ未満の非常に薄い厚さのガラス板に対する衝撃を取り除くことを可能とはしない。ガラス板の非常に多くの破損が存在している。
【発明の概要】
【発明が解決しようとする課題】
【００１０】
したがって、本発明の目的は、上記の欠点が取り除かれており、その一方で、ガラス板を運搬している間、及び目的とする用途においては、ガラスを洗浄している間に、ガラス板を強固に保持することを可能にしつつ、また同時に、ガラス板の２つの面の表面を、ガラス板の周囲を含めて最適に洗浄することを保証する、ガラス板を運搬及び保持するための装置を提案することである。本発明の装置は、現存する運搬及び洗浄設備において有利に用いることができる。
【課題を解決するための手段】
【００１１】
本発明によれば、ガラス板を運搬及び保持するための装置は、運搬手段、及びガラス板の位置を保持すること、特に（実質的に）水平位置で保持することを意図している保持手段を具備しており、保持手段が、以下を具備していることを特徴とする：
−一方で、側方運搬システムと称される、間隔が空いておりかつ平行な少なくとも２つの運搬システム、側方運搬システムに対して横方向に延在しており、かつそれにより支えられている、間隔の空いた複数のワイヤー、ここで、ガラス板は、その側面の少なくとも全部又は一部を介して、ワイヤーに対して局所的に押圧されることを意図している、並びに
−他方で、（ワイヤーを含む平面に対して実質的に垂直な平面で）加圧された空気噴射物及び／又は水噴射物を供給する手段、ここで、加圧された噴射物は、ガラス板の上面、すなわち前記ワイヤーにより支持されている面と反対側の面に向かって噴射されることを意図しており、それによって、前記ワイヤーに対して前記ガラス板が強固に押圧された状態にするようにする。
【００１２】
残りの記載において、「水平」、「垂直」、「上部」、「下部」、「上」、「下」は、装置を水平面上に載置したとき、及び水平に延在している装置にガラス板が組み合わされているときに、装置又はガラス板の要素を制限するものと理解すべきである。
【００１３】
用語「高さ」は、装置の要素を制限する場合には、垂直の寸法、すなわち装置を含む水平面に対して垂直な方向の寸法を意味するものとして理解すべきである。
【００１４】
修飾語「側方」は、長手方向の運搬方向、すなわちガラス板の進行方向に対して横向きの（垂直な）方向を意味するものと理解すべきである。
【００１５】
側方運搬システムは、運搬方向における長手方向に延在している。２つの側方運搬システムは、ガラス板の両側で、かつ運搬方向に対して平行なガラス板の２つの側面から幾らか離れて存在するようにして配置されることを意図している。
【００１６】
有利には、加圧された空気噴射物及び／又は水噴射物を供給する手段は、ガラス板の上面でガラス板を清掃することを意図している空気噴射物及び／又は水噴射物に対応しており、その一方で、他の噴射物が、反対側の下面に同時に噴射され、ガラス板の上面に噴射される噴射物が、下面に噴射される噴射物よりも高出力であり、それによって、下面への噴射物の存在にかかわらず、ガラス板が下方に向かってワイヤーに対して強固に押圧することを保証するようにする。上面向けの噴射物と下面向けの反対側の噴射物との間の正の圧力勾配は、１０％超、例えば２０％程度である。
【００１７】
ワイヤーは、２つの側方運搬システムによって支持されかつ張られている少なくとも１つの網を形成し、ガラス板を支持し、その一方で加圧された噴射物がワイヤーに対してガラス板を強固に押圧することを意図し、それによって、ガラス板の位置を保持し、かつガラス板が洗浄されている間、水噴射物及び空気噴射物の圧力と関連する振動性の運動の影響にさらされたときに、ガラス板の振幅のあらゆる変化を防止する。
【００１８】
ワイヤーは、網が崩壊せずに、少なくとも下方の洗浄ノズルの端部と同一平面上にある平面で崩壊せずに、ガラス板の重量を支持するのに十分な張力を有する。
【００１９】
これによれば、運搬することを意図しているガラス板は、その下面により１つ又は複数の網上に保持され、かつ非常に局所的に、ガラス板の周囲を包囲する随意の枠なしで、すなわちガラス板の周縁部を構造中に包囲することなく存在している。
【００２０】
１つの特徴によれば、ワイヤーは、運搬方向に対して垂直な方向に少なくとも延在しており、その一方で、側方運搬システムは、運搬方向に対して平行である。
【００２１】
好ましくは、ワイヤーは、網の形態で十字交差しているワイヤーのネットワークを形成しており；ワイヤーは、側方運搬システムに対して垂直のみならず、側方運搬システムに対して平行にも向けられており、かつ複数のメッシュを具備している。
【００２２】
第一の実施態様によれば、ワイヤーは、平行でかつ間隔の空いたワイヤーの単一の支持体、又は交差したワイヤーの単一の網を形成しており、この支持体又は網の面積は、この支持体又は網に載置されるガラス板の面積よりも大きい。以下では、網が意味するものは、交差したワイヤーのネットワーク、又は間隔が空いておりかつ平行なワイヤーを具備している支持体である。
【００２３】
好ましくは、装置の運搬手段は、中央に配置されており、かつ運搬機と称される、１つ又は２つの運搬システムを更に具備しており、ガラス板は、その中央部により、これらの中央運搬機に向けられかつ載置されることを意図している。
【００２４】
ちなみに、現存の洗浄設備は、これらの中央運搬機のみを具備している。
【００２５】
したがって、２つの側方運搬システムは、中央運搬機の運搬速度と同期されている。
【００２６】
このようにして、ガラス板は、網上、及び網を介して中央運搬機上に載置されている。
【００２７】
第二の実施態様によれば、ワイヤーは、間隔の空いたワイヤーの２つで一対の独立した支持体、又は２つで一対の独立した網を形成しており、各々の支持体又は網は、その２つの対向する側面に沿って、一方では２つの側方運搬システムのうちのそれぞれにより、他方では２つの側方運搬システムの間の中央に位置している運搬手段により支えられている。
【００２８】
好ましくは、運搬手段は、平行（でかつ同じ速度）であり、中央運搬機と称される、２つの中央運搬システムを具備しており、各々の中央運搬システムは、例えば軸及び一般的な群により、各々の側方システムと機械的に連結されており、それによって、側方運搬システムの運動を中央運搬機と同期させるようにする。
【００２９】
２つの網は、ガラス板の２つの縁又は側面から、中央へと向かって延在しているガラス板の２つの側部をそれぞれ支持している。ガラス板の中央部には、網がなく、中央運搬機上に直接載置されている。
【００３０】
ガラス板の側面が意味するものは、ガラス板の進行又は運搬の方向に対して平行な側であり、上流側及び下流側が意味するものは、側面に対して実質的に垂直でもある２つの対向する側であり、上流及び下流は、進行方向に関して理解される。
【００３１】
このようにして、運搬することを意図しているガラス板は、（それが湾曲しているという事実により）２つの通常の中央運搬システム上でその上流側及び下流側で載置されており、かつ１つ又は複数の網上でその側面の全部又は一部により保持されており、ワイヤーは、ガラス板の側面と局所的に共同している。
【００３２】
ガラス板が中央運搬システム上でかつ単一の網（第一の実施態様）又は２つの網（第二の実施態様）上に載置されているとき、側方運搬システムを高さ方向に調節して、網を介してガラス板を支持できるようにし（及びしたがって全てのタイプの湾曲に適合させる）、かつ実質的に下方及び上方の平面に位置している水噴射及び／又は空気噴射ノズルから幾らか離れて保持するようにすることができる。
【００３３】
別の特徴によれば、装置は、（中央及び側方）運搬システムの長さに沿って離れて分布している複数個又は複数対の網を具備しており、それによって、単一の洗浄設備で洗浄すべき複数のガラス板を設置するようにする。
【００３４】
１つ又は一対の網は、ガラス板の側面の寸法よりも大きい運搬方向における寸法を有する。
【００３５】
２つの側方運搬システムの間の間隔は、ガラス板の上流側及び下流側の独立した寸法よりも大きい。
【００３６】
それによれば、１つ又は複数の網は、ガラス板の周縁部全体を、場合によっては中央部を除いて支持するように延在している。
【００３７】
別の特徴によれば、ワイヤーの間隔は、局所化された様式で排他的にガラスとの接触を可能とし、ガラスの連続的な表面にわたって接触することを避け、上記の接触領１域の制限された性質により、最適な洗浄を可能とする。
【００３８】
上記の実施態様においては、網は、側方運搬システムに接続されており、これらの運搬システムは、概して２〜５ｃｍ幅のベルトで構成されている。
【００３９】
本発明の更なる別の実施態様においては、２つの側方運搬機は、それ自体網で構成されている（したがって、網は、ベルトよりも広い運搬手段を形成している）。網の形態の２つの側方運搬機は、少なくとも傾きに関して調節可能であり、それによって、運搬すべきガラス板の種々の湾曲に適合させることを可能とするようにされている。
【００４０】
有利には、ワイヤーの間隔又は網のメッシュの幅は、５ｍｍ〜２００ｍｍに含まれ、好ましくは５０ｍｍ程度である。
【００４１】
更には、各々のワイヤーは、曲面ガラスの周囲との局所的な接触、より具体的には接触点の形態の曲面ガラスの側縁との局所的な接触を生み出す。接触点の外接円径は、ワイヤーの幅のごく一部、すなわちワイヤーの直径のごく一部である。ワイヤーの直径は、接触面積を最小化するように制限される。ワイヤーの直径は、０．５ｍｍ〜１５ｍｍに含まれ、好ましくは２ｍｍ程度である。
【００４２】
更には、ワイヤーは、好ましくは水を滑り落ちさせ、かつ水が保持されないように設計されている。特に、ワイヤーは、好ましくは、（撚られていない）平滑な表面を有する。ワイヤーの材料は、好ましくは、プラスチック材料、例えばポリアミド、特にナイロンタイプのプラスチック材料である。
【００４３】
したがって、ガラス板を運搬及び保持するための本発明の装置は、以下を保証する：
−ガラス板の外形の形状がどんな形状でも、全てのガラス板についての安定な運搬；
−あらゆる接触又は衝撃に対するガラス板の端面の保護；
−ガラス板の全体の表面及び周囲に水及び空気が接近することへの障害を可能な限り小さくする、ガラス板の周囲にわたる、特に２つの中央運搬機上の４点、及び網上に載置されているグレージングの各々の側縁上の少なくとも１点での支持の分布。
【００４４】
本発明は、本発明の運搬及び保持装置を具備している洗浄及び乾燥設備、特にガラス板の清掃、特に乗物グレージング用の曲面ガラスの清掃のための、洗浄及び乾燥設備にも関する。
【００４５】
最後に、本発明は、洗浄機器及び乾燥機器を具備している設備において、本発明の装置を実施する方法であって、装置が、２つの中央運搬機を具備しており、次の工程を含むことを特徴とする、方法に関する：
−装置が停止位置にある状態で、側方運搬システムの高さを調節すること；
−１又は複数のガラス板を、自動的な手段により、洗浄及び機械的保持装置の上流の運搬装置上に持ってきて、存在する場合には、洗浄機器の上流において、中央運搬機上、及びワイヤー上に置くようにすること；
−ガラス板を、１つ又は複数の網（したがって、洗浄機器の長さに沿って少なくとも存在している）によりガラス板の側縁が支持されることとなる前記洗浄機器への入口まで運搬すること；
−洗浄及び乾燥すべき１つ又は複数のガラス板を運搬するために、運搬を開始すること；
−したがって、洗浄及び乾燥工程の間に、水及び次いで空気の加圧された噴射物をガラス板の２つの対向する下面及び上面に噴射すること、ここで、上面に向かう噴射物により印加される圧力が、下方の噴射物の圧力よりも大きく、それによって、前記ガラス板が１又は複数の網に対して強固に押圧された状態とすることを保証する。
【００４６】
好ましい態様においては、本発明の装置を実施する方法は、以下のとおりであり、概して２つの中央運搬機が存在している：
−側方運搬システムの高さを調節して、ガラス板を実質的にノズルの間の途中の平面（表面）において支持されることができるようにすること；
−ガラス板を、自動的な手段により運搬及び保持装置上に持ってきて、存在する場合には、洗浄機器の上流において、中央運搬機上、及び１つ又は一対の網上に置くようにすること。ここで、ガラス板は、中央運搬機に対して強固に押圧されている上流側及び下流側（縁）を有しており、曲面ガラス板の場合には、凹面がこれらに（下方に）向いている；
−それによって、支持されているガラス板を、１つ又は複数の網（浄機器の長さに沿って少なくとも存在している）によりガラス板の側縁が支持されることとなる前記洗浄機器への入口まで運搬すること；
−このようにして支持されているガラス板に、洗浄及び乾燥工程を施すこと；
−その結果、洗浄及び乾燥工程の間に、水及び次いで空気の加圧された噴射物をガラス板の２つの対向する下面及び上面に噴射すること、ここで、上面に向かう噴射物により印加される圧力が、下方の噴射物の圧力よりも大きく、それによって、前記ガラス板が１又は複数の網に対して強固に押圧された状態とすることを保証する。
【図面の簡単な説明】
【００４７】
純粋な実例であり、かつ本発明の範囲を限定しない例を用いて、添付図面に基づいてここから本発明を説明する。
【００４８】
【図１】図１は、洗浄設備における、ガラス板を保持している位置での、第一の実施態様による本発明の運搬及び保持装置の概略断面図を示しており、この断面図は、長手の運搬方向に対する横断面であり、ガラス板の下流側の端面を通る垂直面に存在している；
【図２】図２は、図１の装置の概略平面図である；
【図３】図３は、本発明の装置の第二の実施態様による、図１の図に対応している；
【図４】図４は、図３の装置の上方からの概略図である；
【図５】図５は、第三の実施態様の概略図である。
【発明を実施するための形態】
【００４９】
図１〜４に示した本発明の運搬及び保持装置１は、実質的に水平面でガラス板２を保持すること、方向Ｆにガラス板を運搬すること又はガラス板を運搬することに貢献すること、及びその２つの面が強い振動、特に少なくとも上部における供給手段５からの加圧された水噴射物及び空気噴射物による振動にさらされたときに、振幅のあらゆる作用なしに、又は振幅のあらゆる作用を少なくとも最小化して、ガラス板の位置を保持することという目的を有する。
【００５０】
図１は、ガラス板２を運搬及び保持するための運搬及び保持装置１、並びに好ましくは、中央運搬機と称される、２つの平行な運搬システム４０及び４１を具備している中央運搬機システム４、並びにそれぞれ垂直上方及び垂直下方を向いている矢印Ｆ１及びＦ２により示されている加圧された水噴射物又は空気噴射物を具備している、運搬及び空気噴射設備３の断面における概略図である。
【００５１】
本発明の運搬及び保持装置１は、ガラス板２に対して側方で、かつ中央運搬機システム４の両側に配置されている平行でかつ間隔の空いた２つの側方運搬システム１０Ａ及び１０Ｂ、並びに図１及び２の実施態様の場合には、網の形態の単一の保持支持体１１、並びに図３及び４の実施態様の場合には、２つで一対の網の形態の２つの保持支持体１２及び１３を具備している。
【００５２】
側方運搬システム１０Ａ及び１０Ｂは、水平面で、すなわち図１の垂直面に対して垂直な平面で横方向に運動して、ガラス板の運搬に随伴する。
【００５３】
後に見られるように、側方運搬システム１０Ａ及び１０Ｂは、システムが停止しているときに、すなわち製造が始まる前及び運搬が始まる前に、矢印Ｇの方向で高さ方向に調節可能である。
【００５４】
ガラス板２は、２つの対向する面である、水平に延在している下面２０及び上面２１を有する。下面２０は、下方を向いている。ガラス板は、進行方向に対して平行な２つの対向する側面２２Ａ及び２２Ｂ、並びに上流側２３Ａ及び下流側２３Ｂと称され、側面に対して横方向にある２つの他の側面を具備している。
【００５５】
ガラス板２は、湾曲しており、かつその上流側２３Ａ及び下流側２３Ｂで、駆動ベルト４０及び４１上に水平に載置されており、その一方で、運搬及び保持装置１は、ガラス板２が洗浄されている間に、ガラス板２が噴射物に対して垂直なこの水平面で保持されることを保証する。ガラス板が噴射物を通過する前に、ガラス板は、（ガラス板の下方の縁の領域において）その側面２２Ｃ及び２２Ｄを少なくとも介して網１１上に載置される（図１）。
【００５６】
示した例におけるガラス板２は、湾曲しており、下面２０は、凹面２０に対応している。したがって、ガラス板の凹面は、下方を向いており、すなわち中央運搬機システム４を向いている。
【００５７】
図１及び２の第一の実施態様によれば、網１１は、２つの側方運搬システム１０Ａ及び１０Ｂにより支えられており、側方システムのうちの一方から他方へと延在している。網の大きさは、網の上に載置されているガラス板２の大きさよりも大きい。
【００５８】
網１１は、複数の正方形状又は菱形のメッシュを形成している、間隔の空いた平行な交差したワイヤー１１Ａ及び１１Ｂのネットワークを形成しているものとしてここで示している。代替態様として、網は、２つの側方システムの間に配置されており、かつ運搬方向に対して横方向に延びている、平行でかつ間隔の空いたワイヤー１１Ａのみを具備していることも可能であろう。
【００５９】
側方システム１０Ａ及び１０Ｂの各々の進行速度は、中央運搬機４０及び４１の進行速度と同期されており、それによって、ガラス板を支持している網１１が中央運搬機と同じ速度で進行するようにされている。
【００６０】
図３及び４の第二の実施態様においては、ワイヤーは、間隔の空いたワイヤーの２つで一対の独立した支持体、又は２つで一対の独立した網１２及び１３を形成しており、各々の支持体又は網は、その２つの対向する側面に沿って、一方では２つの側方運搬システム１０Ａ、１０Ｂのうちのそれぞれにより、他方では２つの輪郭の間で中央に位置している中央運搬機４０、４１により支えられている。
【００６１】
各々の側方運搬システム１０Ａ、１０Ｂは、例えばベルトにより、中央運搬機４０、４１と機械的に連結しており、それによって、側方システム１０Ａ、１０Ｂの運動が、中央運搬機と同期するようにされている。
【００６２】
したがって、ガラス板２は、その中央部では、中央運搬機４０及び４１で、その下方の側面並びに上流側及び下流側２３Ａ及び２３Ｂにより載置されており、その側部では、網１２及び１３上に、少なくとも下方の側縁２２Ｃ及び２２Ｄを介して載置されている。
【００６３】
有利には、ワイヤーの間隔又は網のメッシュの幅は、５ｍｍ〜２００ｍｍに含まれ、好ましくは５０ｍｍ程度である。
【００６４】
ワイヤーの直径は、接触領域を最小化するように制限される；ワイヤーの直径は、０．５ｍｍ〜１５ｍｍに含まれ、好ましくは１又は２ｍｍ程度である。
【００６５】
更には、ワイヤーは、好ましくは水を滑り落ちさせ、かつ水が保持されないように設計されている。特に、ワイヤーは、（撚られていない）平滑な表面を有する。ワイヤーの材料は、例えばナイロン等のポリアミドである。
【００６６】
本発明によれば、ガラス板が洗浄噴射物を受けるときに、上方の噴射物Ｆ２は、下方の噴射物Ｆ１よりも高い圧力を印加して、網１１又は一対の網１２及び１３に対してガラス板２を強固に押圧し、そしてガラス板の振動のリスクを補償するようにする。
【００６７】
ガラス板と接している各々のワイヤーは、ガラス板の周囲と接触しており；ワイヤーは、特に、ガラス板の曲率及び張った網の相対的な平坦さにより、ガラス板２のワイヤーとの接触領域は、網１１のワイヤーとガラス板の周囲との間の接触点に制限される。
【００６８】
１つ又は一対の網と組み合わされている側方運搬システム１０Ａ及び１０Ｂを、（ガラス板の洗浄に関する）製造操作が始まる前に、１つ又は複数の網の高さ（図１及び３における矢印Ｇの方向での垂直方向）を調節することにより配置して、（概してフロントガラスを形成することを意図している）ガラス板の全ての形状を支持するようにする。この方法においては、洗浄の間に水及び空気を噴射するノズルに接触するリスクは存在しない。
【００６９】
装置の高さ方向の調節及びその作動は、好ましくは自動化されている。  
【００７０】
最後に、図５に示した別の実施態様においては、それは、網１４及び１５で構成されている側方運搬機１０Ａ及び１０Ｂである。網は、傾きについて調節可能であり、それによって、ガラス板の種々の湾曲に適合するようにされている。特に、網は、水平（上方からの図において、ここでは視認できない）に対して傾斜しており、それによって、運搬の中央軸付近の内縁１４Ａ、１５Ａから、外縁１４Ｂ、１５Ｂへと向かって下向きに角度をつけるようにされている。したがって、縁１４Ａ及び１５Ａを、中央運搬機が存在する場合には、中央運搬機の高さへと調節し、その一方で、網を傾けることにより縁１４Ｂ及び１５Ｂを低くして、中央運搬機が存在する場合には中央運搬機上に、中央運搬機が存在しない場合には縁１４Ａ及び１５Ａ上に、その上流側及び下流側が載置されているときに、ガラス板の側縁が自然に網上に載置されるに至るようにされている。
【図１】
2019519353.tif 000003
【図２】
2019519353.tif 000004
【図３】
2019519353.tif 000005
【図４】
2019519353.tif 000006
【図５】
2019519353.tif 000007
【国際調査報告】
2019519353.tif 000008
2019519353.tif 000009
2019519353.tif 000010
2019519353.tif 000011
2019519353.tif 000012
2019519353.tif 000013